(57)【要約】      （修正有）【課題】携帯オーディオプレーヤーのカテゴリーとして、帽子・ヘルメット・ヘッドバンド・カチューシャ・サンバイザー・鉢巻等、頭部に付帯する物と頭部との間に挟むことにより生ずる摩擦力により三位一体となり保持される部分と、その保持部分との位置関係を保つ音響部分とそれを本体とせしめる操作スイッチ等が配置されたことを特徴とするヘッドオーディオ（以下ヘッド音）なる機器があるが、それを水中でも同じようにヘッド音として利用可能にする。【解決手段】プラグの胴部分に雄ネジを施し、プレーヤー１０を密封する膜１１を挟んで雌ネジで押さえ込むことにより防水性を持たせる。【選択図】図５
2013005427.tif 000002
【特許請求の範囲】
【請求項１】
帽子・ヘルメット・ヘッドバンド・カチューシャ・サンバイザー・鉢巻等、頭部に付帯するものと頭部との間に挟むことにより生ずる摩擦力により三位一体となり保持される部分と、その保持部分との位置関係を保つ音響部分と、それ、もしくはそれらを本体とせしめる操作スイッチ等が配置されたことを特徴とする音の出る玩具（以下ヘッド音）のうち、プラグ等で音響部分を分離できる本体（以下ヘッド音・甲）について、操作スイッチ位置の不適切やジャック位置の不適切によりヘッド音・甲として利用できなかった携帯音楽機器等をヘッド音・甲として利用可能にするため、機器を取り付けてヘッド音・甲としての利用が可能となることを特徴とするヘッド音・甲アダプタもしくはアタッチメント。
【請求項２】
ヘッド音のうち、プラグなどで本体から分離可能な音響部分（以下ヘッド音・乙）のうち、プラグの胴部分に雄ネジが施され、膜を挟んで雌ネジで固定することによりその膜の内と外との防水を目的とした遮断をを可能とした物の内、プラグと音響部分が４５度付近の角度で回動、もしくは回動可能なプラグで連結することにより、音源本体のプラグ接続位置が横でも下でも、耳に対し適切な位置にもっていけることを特徴としたヘッド音・乙アダプタもしくはアタッチメント。
【発明の詳細な説明】
【技術分野】
【０００１】  携帯オーディオプレーヤーのカテゴリーとして、帽子・ヘルメット・ヘッドバンド・カチューシャ・サンバイザー・鉢巻等、頭部に付帯する物と頭部との間に挟むことにより生ずる摩擦力により三位一体となり保持される部分と、その保持部分との位置関係を保つ音響部分とそれを本体とせしめる操作スイッチ等が配置されたことを特徴とするヘッドオーディオ（以下ヘッド音）なる機器があるが、それを水中でも同じようにヘッド音として利用したい。
【背景技術】
【０００２】  平成１５年２月２５日に「ヘッド音」なる発明をしたが、海外ではそれを流用したとも取れる防水型プレーヤー「ＳＷＩＭＰ３−Ｖ２」が発表され、前バージョンの「ＳＷＩＭＰ３」とは使用法及びデザイン的にも「ヘッド音」と酷似して好評を得ているようである。【０００３】  ライター程度のサイズのラジオやプレーヤーなどの音源の一部には、イヤホン程度の大きさの直付けミニスピーカーを取り付けることで簡単に帽子等と頭の間に挟持して利用するヘッド音と呼ばれる玩具として利用できることが知られている。
そして、接続プラグの位置が長手方向についている場合と短手方向についている場合とで、ミニスピーカーと耳穴との位置関係が極端に変わってくる不都合を解消するためにプラグに角度を持たせた状態でスピーカーが回動するようにするため、直付けミニスピーカーと、音源本体を４５度のアングルプラグでつないだり、ミニスピーカーのプラグの胴部分をジャバラ構造にして本体と耳との位置関係を良好に保つ工夫が凝らされた「マルチアングルヘッド音・乙」と呼ばれるものもある。【０００４】  古くからネジという技術があり、穴を開けた板や膜に対してハット状の雄ネジと雌ネジではさんで、繋がった管のジョイント部の防水性を確保する方法はよく知られている。【０００５】  防水仕様のスピーカーも数多く存在する。【０００６】
【特許文献１】特開２００４−２６０７７９ヘッドオーディオ
【発明の開示】
【発明が解決しようとする課題】
【０００７】  いままで操作スイッチとジャックの位置が上下に離れすぎていたり左耳で利用したいのにジャックの位置が不適切であったりと、ヘッド音として今まで利用できなかった携帯ラジオやプレーヤー等もなんとかヘッド音として利用したい。【０００８】  ライターサイズ程度のプレーヤーであれば、直付けミニスピーカーを用意すれば「ヘッドオーディオ」として転用可能な機器は結構あるが、これらの機器をプールなどでも使えるように、簡単に防水化したい
【課題を解決するための手段】
【０００９】  ジャックの位置がヘッド音として適切になるよう、アタッチメントで対応する。【００１０】  音源本体を防水用の袋に入れ、プラグ接続部分にあけた袋の穴を、ミニスピーカー側に施したネジを利用して密封すればよい。【００１１】  ４５度の角度を持つアングルプラグアダプタを防水用としてネジ山を施し、ミニスピーカー部と分離することで防水性を持たせた「マルチアングル・ヘッド音・乙」とすることが可能なはずである。
【発明の効果】
【００１２】  市販の殆どの携帯ラジオや携帯音楽プレーヤーがヘッド音として利用可能になるはずである。【００１３】  市販の殆どの携帯ラジオや携帯音楽プレーヤーが防水ヘッド音として利用可能になるはずである。【００１４】  密封のための袋として、ポリ袋、レジ袋、レンジバック、ゴムサック等さまざまなものを選ぶことが可能なはずである。【００１５】  取り扱いが簡単なはずである
【発明を実施するための最良の形態】
【００１６】  試作品では安いライターサイズのラジオを分解して、ミニプラグを接続するためのジャックの部品を入手し、ステレオイヤホンを分解してミニプラグ部分を入手した。【００１７】  試作品では２つのジャック同士を直に繋げ、配線接続した物を、板ガム程度の大きさのプラスチック等の板の短手側の端に固定しヘッド音・甲アダプタとし、ヘッド音非対応の携帯ラジオや携帯音楽プレーヤー等をゴム状ベルトもしくはバンドで固定し、片方のジャックと機器のヘッドホンジャックをプラグコードでつなぎ、これをもってヘッド音・甲とする。【００１８】  コードを取り去ったミニプラグの端子に、ジャックの端子を繋ぐ時、ミニプラグに対しジャックの角度がなるべく４５度の角度がつくようにジャックのそれぞれの端子をつなぐ。
１箇所でも端子同士を直接半田付けできればそれだけで仮固定は出来るので届かない端子は導線を使うとよい。【００１９】ネジ山は、間に挟む膜が少しでも傷つかないようなものが良く、お弁当用のプラスチック製タレビンのキャップに手ごろな形があったりする。
試作品では雄ネジの型として、プラスチックと接着性の悪いそのキャップにプラグを通す穴を開け、ミニスピーカー側であるジャック部分と、プレーヤー側になるプラグ部分の４５度付近の角度で直付け結線済みのプラグ部分をその穴に通し、目張りした上でプラスチックを流し込むと、ネジ山付きプラグに４５度付近の角度でジャックがついた物を形成できる。【００２０】  防水ヘッド音のミニスピーカーとして、試作品ではカナル型骨伝道タイプの市販のものを流用、長いコード部分を取り去り、モノラル結線した上でプラグとともにプラスチックで固めた。【００２１】  防水パックとしてはナイロン性のものでもよいが、密封性と使いやすさでは現時点でコンドームが最適であるが、体裁上、「コンドーム」という呼称は避けたいものだ。
【図面の簡単な説明】
【００２２】
【図１】本発明に係るヘッド音・甲アダプタを示す。
【図２】本発明に係るネジ付マルチアングルアタッチメントの例である。ｂ図はプラグを偏芯させることでコンパクト化を図ったものである。
【図３】本発明に係る直付け防水骨伝導ホンの例である。
【図４】本発明に係るネジ付アングルアタッチメントと直付け防水骨伝導ホンを組み合わせた例である。
【図５】本発明をジャックの位置の異なるプレーヤーとゴムサックの適用で組み合わせてみた例を示す。
【符号の説明】
【００２３】  ▲１▼請求項１に係るヘッド音アダプタを示す
▲２▼両側にジャック部を有する、携帯機器とヘッド音・乙の接続部分である。
▲３▼機器を安定させるための滑り止め部分である
▲４▼機器を固定するためのゴム状バンドである。バンドの大小の穴は、ディスプレイを有効にするための他、プラグ接続位置がバンドにかぶる場合への対応の他、軽量化や摩擦力の増強等にも有効である。
▲５▼音源であるプレーヤーの例を示す
▲６▼回動可能なプラグ部分を示す
▲７▼膜を挟み込むためのネジ部分を示す
▲８▼プラグのジャック部を有する４５度付近の角度を持つ胴体部を示す
▲９▼防水骨伝導スピーカーの例を示す
▲１０▼音源である「ヘッド音・甲」の例を示す
▲１１▼防水用膜の例を示す
【図１】
2013005427.tif 000003
【図２】
2013005427.tif 000004
【図３】
2013005427.tif 000005
【図４】
2013005427.tif 000006
【図５】
2013005427.tif 000007